(57)【特許請求の範囲】
【請求項１】
点検の結果を示す検知信号を出力するセンサと、監視センタと、に接続された警備装置であって、
前記監視センタから、前記点検を指示する遠隔点検コマンドを受信する第２受信部と、
前記第２受信部が前記遠隔点検コマンドを受信した場合に、前記検知信号と、前記検知信号を受信した時刻を含む期間の監視領域の画像および音声の少なくとも一方が記録されたファイルを識別する識別情報を受信する第１受信部と、
受信した前記検知信号と前記識別情報とを含む信号を生成する信号生成部と、
生成された前記信号を前記監視センタに送信する第１送信部と、
を備えたことを特徴とする警備装置。
【請求項２】
前記センサは、前記警備装置に接続され、前記画像および音声の少なくとも一方を記録する機器に設けられている、請求項１に記載の警備装置。
【請求項３】
前記第１受信部は、前記識別信号を前記機器または前記センサから受信すること、
を特徴とする請求項２に記載の警備装置。
【請求項４】
前記識別情報は、さらに、前記ファイルの保存先の装置の識別番号を含むこと、
を特徴とする請求項１に記載の警備装置。
【請求項５】
前記装置の識別番号は、ＩＰアドレスであること、
を特徴とする請求項４に記載の警備装置。
【請求項６】
前記識別情報は、前記ファイルの保存先を表すＵＲＬであること、
を特徴とする請求項１に記載の警備装置。
【請求項７】
前記検知信号は、前記監視領域の異常を示す警報信号を含むこと、
を特徴とする請求項１に記載の警備装置。
【請求項８】
前記検知信号は、前記監視領域の警備状態を変更するための操作入力を受け付けたことを示す警備操作信号を含むこと、
を特徴とする請求項１に記載の警備装置。
【請求項９】
前記検知信号は、前記センサおよび前記警備装置を含む警備に用いられる機器が異常な方法で使用されたことを示す異常使用検知信号を含むこと、
を特徴とする請求項１に記載の警備装置。
【請求項１０】
点検の結果を示す検知信号を出力するセンサと、監視センタと、前記センサ及び前記監視センタに接続された警備装置と、を備えた警備システムであって、
前記警備装置は、
前記監視センタから、前記点検を指示する遠隔点検コマンドを受信する第２受信部と、
前記第２受信部が前記遠隔点検コマンドを受信した場合に、前記検知信号と、前記検知信号を受信した時刻を含む期間の監視領域の画像および音声の少なくとも一方が記録されたファイルを識別する識別情報と、を受信する第１受信部と、
受信した前記検知信号と前記識別情報とを含む信号を生成する信号生成部と、
生成された前記信号を前記監視センタに送信する第１送信部と、
を備え、
前記センサは、
前記遠隔点検コマンドを受信した場合に、前記検知信号を前記警備装置に送信する、
ことを特徴とする警備システム。
【請求項１１】
前記警備装置に接続され、前記監視領域の画像および音声の少なくとも一方を記録する機器を更に備え、
前記機器は、
前記監視領域の画像および音声の少なくとも一方を記録し、記録したファイルを識別する識別情報を保存する記憶部と、
前記遠隔点検コマンドを受信した場合に、前記識別情報を前記警備装置へ送信する制御部と、
を備えたことを特徴とする請求項１０に記載の警備システム。
【請求項１２】
点検の結果を示す検知信号を出力するセンサと、監視センタと、に接続された警備装置で実行される警備方法であって、
前記監視センタから、前記点検を指示する遠隔点検コマンドを受信するステップと、
前記遠隔点検コマンドを受信した場合に、前記検知信号と、前記検知信号を受信した時刻を含む期間の監視領域の画像および音声の少なくとも一方が記録されたファイルを識別する識別情報を受信するステップと、
受信した前記検知信号と前記識別情報とを含む信号を生成するステップと、
生成された前記信号を前記監視センタに送信するステップと、
を含むことを特徴とする警備方法。
【発明の詳細な説明】
【技術分野】
【０００１】
本発明は、画像および音声の少なくとも一方のファイル保存先を含む信号を送信する警備装置、警備システムおよび警備方法に関する。
【背景技術】
【０００２】
従来から、遠隔地においても監視領域で発生したセキュリティ上の異常を画像や音声の確認により確認する警備システムが普及している。監視センタに警報を送信する端末は、警報信号と同時又は一定時間経過時に警報発呼時における監視領域の画像データや音声データを監視センタに送信するのが一般的である。監視センタ側では、端末から警報信号とともに画像データや音声データを受信することとなる。
【０００３】
例えば、異常を検知した場合に、監視センタに画像データを転送するセキュリティシステムが提案されている（例えば、特許文献１）。具体的には、特許文献１には、セキュリティ機器と、ネットワークカメラとの連動関係が登録された連動テーブルをあらかじめ記憶するセキュリティシステムが開示されている。そして、セキュリティシステムは、セキュリティ機器の検出情報を受信した場合に、連動テーブルから当該セキュリティ機器に連動するネットワークカメラが撮像した画像データを取得し、取得した画像をネットワーク通信手段によりセンタ装置に転送する。
【先行技術文献】
【特許文献】
【０００４】
【特許文献１】特開２００８−１９９４１７号公報
【発明の概要】
【発明が解決しようとする課題】
【０００５】
しかしながら、特許文献１の技術では、監視センタと端末との間で、容量の大きい画像データの送受信が行われるため、回線ビジーや帯域オーバーが生じてしまう。そして、これを防ぐためには、広帯域回線や多回線を準備する必要がある。
【０００６】
また、端末側では、警報と画像データを紐付けるため、画像データに警報の識別子を埋め込む等画像データを受信するためにあらかじめ処理を行う必要があった。また、システムが、画像データを周辺機器に蓄積する構成である場合は、監視センタは予めＩＰアドレス等により端末設定したうえでアクセスする必要があり、管理に手間がかかっていた。
【０００７】
本発明は、上記に鑑みてなされたものであって、通信負荷を軽減しつつ、監視センタにおいて警報時における監視領域の画像データや音声データの保存先に関する情報を効率よく取得し、迅速に監視領域を確認することができる警備装置、警備システムおよび警備方法を提供することを目的とする。
【課題を解決するための手段】
【０００８】
上述した課題を解決し、目的を達成するために、本発明にかかる警備装置は、点検の結果を示す検知信号を出力するセンサと、監視センタと、に接続された警備装置であって、前記監視センタから、前記点検を指示する遠隔点検コマンドを受信する第２受信部と、前記第２受信部が前記遠隔点検コマンドを受信した場合に、前記検知信号と、前記検知信号を受信した時刻を含む期間の監視領域の画像および音声の少なくとも一方が記録されたファイルを識別する識別情報を受信する第１受信部と、受信した前記検知信号と前記識別情報とを含む信号を生成する信号生成部と、生成された前記信号を前記監視センタに送信する第１送信部と、を備えたことを特徴とする。
【００１０】
また、本発明にかかる警備システムは、点検の結果を示す検知信号を出力するセンサと、監視センタと、前記センサ及び前記監視センタに接続された警備装置と、を備えた警備システムであって、前記警備装置は、前記監視センタから、前記点検を指示する遠隔点検コマンドを受信する第２受信部と、前記第２受信部が前記遠隔点検コマンドを受信した場合に、前記検知信号と、前記検知信号を受信した時刻を含む期間の監視領域の画像および音声の少なくとも一方が記録されたファイルを識別する識別情報と、を受信する第１受信部と、受信した前記検知信号と前記識別情報とを含む信号を生成する信号生成部と、生成された前記信号を前記監視センタに送信する第１送信部と、を備え、前記センサは、前記遠隔点検コマンドを受信した場合に、前記検知信号を前記警備装置に送信する、ことを特徴とする。
【００１１】
また、本発明にかかる警備方法は、点検の結果を示す検知信号を出力するセンサと、監視センタと、に接続された警備装置で実行される警備方法であって、前記監視センタから、前記点検を指示する遠隔点検コマンドを受信するステップと、前記遠隔点検コマンドを受信した場合に、前記検知信号と、前記検知信号を受信した時刻を含む期間の監視領域の画像および音声の少なくとも一方が記録されたファイルを識別する識別情報を受信するステップと、受信した前記検知信号と前記識別情報とを含む信号を生成するステップと、生成された前記信号を前記監視センタに送信するステップと、を含むことを特徴とする。
【発明の効果】
【００１２】
本発明によれば、通信負荷を軽減しつつ、警報時における監視領域の画像データや音声データの保存先に関する情報を効率よく取得するという効果を奏する。
【図面の簡単な説明】
【００１３】
【図１】図１は、実施の形態１にかかる警備システムの構成を示すブロック図である。
【図２】図２は、信号生成部により生成された警備信号フォーマットの一例を示す図である。
【図３】図３は、警備信号の送信処理の手順を示すフローチャートである。
【図４】図４は、実施の形態２にかかる警備システムの構成を示すブロック図である。
【図５】図５は、警備装置による警備信号の送信処理の手順を示すフローチャートである。
【図６】図６は、実施の形態３にかかる警備システムの構成を示すブロック図である。
【図７】図７は、信号生成部により生成された警備信号フォーマットの一例を示す図である。
【図８】図８は、警備装置による警備信号の送信処理の手順を示すフローチャートである。
【図９】図９は、実施の形態４にかかる警備システムの構成を示すブロック図である。
【図１０】図１０は、警備装置による警備信号の送信処理の手順を示すフローチャートである。
【発明を実施するための形態】
【００１４】
以下に添付図面を参照して、この発明にかかる警備装置、警備システムおよび警備方法の最良な実施の形態を詳細に説明する。
【００１５】
（実施の形態１）
図１は、実施の形態１にかかる警備システムの構成を示すブロック図である。図１に示すように、警備システム１は、記録装置１６０に接続された警備装置１００が、監視センタ１５０と電話回線、無線ネットワーク、インターネットなどのネットワーク１０により接続されている。
【００１６】
警備装置１００は、監視領域の異常を検知して、異常検知情報を監視センタ１５０に通報する。監視センタ１５０は、警備装置１００から通報を受信すると、待機中の警備員に監視領域に出動する指示を出すとともに、必要に応じて警察や消防などの関係機関に通報する。
【００１７】
次に、記録装置１６０の詳細について説明する。記録装置１６０は、カメラビデオ等の録画機器や、マイク等の録音機器と、センサが搭載された装置であり、ＬＡＮ（Local Area Network）で警備装置１００に接続されている。図１では、１の記録装置１６０を図示しているが、記録装置１６０は、監視領域に１又は複数設置されている。
【００１８】
記録装置１６０は、図１に示すように、画像記録制御部１６１と、音声記録制御部１６２と、センサ１６３と、通信制御部１６４と、記憶部１７０を主に備えている。なお、画像記録制御部１６１と、センサ１６３が一体となっている一例としては、センサ付きカメラなどがある。
【００１９】
センサ１６３は、異常または操作を検知し、各種検知信号を出力する。検知信号には、例えば、警報信号、警備操作信号、悪戯・細工信号等がある。ここで、警報信号とは、異常が検知された場合に出力される信号である。異常とは、不審者の侵入等、監視領域に発生する異常のことである。また、警備操作信号とは、警備操作入力が検知された場合に出力される信号である。警備操作入力とは、警備状態の開始または解除の入力、警備員による巡回の開始または解除の入力、解錠のための操作入力（照合結果がＮＧであった場合だけとしてもよい。）等、監視領域の警備状態を変更するための各種操作入力のことである。また、悪戯・細工信号とは、悪戯・細工が検知された場合に出力される信号である。悪戯・細工とは、センサ１６３や、警備装置１００を含む警備に用いられる機器が、異常な方法、または不正な方法により使用されること（以下、異常な使用行為という。）である。
【００２０】
センサ１６３は、例えば、赤外線の受光量の変化をもとに人を検知する赤外線センサ、赤外線などが遮断されることで人を検知する遮断センサ、電磁波の乱れで人を検知する気配センサ、マグネットにより扉の開閉を検知するマグネットセンサなどの監視領域の異常を検知する各種センサである。センサ１６３は、これらのセンサにより、異常や、警備操作入力や、悪戯・細工を検知する。
【００２１】
また、センサ１６３が、悪戯・細工信号を出力するセンサである場合について詳細を説明する。この場合、センサ１６３は、警備装置１００の制御部１１０や操作表示部１４０、カードリーダ（不図示）等の周辺機器に設けられる。
【００２２】
センサ１６３は、異常な使用行為をカメラ等の画像センサで撮像したり、マイクで集音したりする。例えば、異常な使用行為には、操作表示部１４０のタッチパネルが一定回数連打されること（以下、連打による異常な使用行為という。）や、操作表示部１４０、警備装置１００、カードリーダ等の周辺機器の筺体カバーを開ける行為（以下、開封による異常な使用行為という。）等がある。
【００２３】
センサ１６３が連打による異常な使用行為を検知する方法の一例を示す。センサ１６３は、操作表示部１４０へのキータッチの回数を検知するセンサとして設けられており、キータッチの回数の閾値があらかじめ定められている。センサ１６３が、一定時間内に閾値以上の回数のキータッチを検知した場合に、異常な使用行為と判断する。例えば、センサ１６３は、警備装置１００の制御部１１０にタンパ警報を送信する。そして、タンパ警報を受信した制御部１１０は、異常な使用の内容を悪戯情報と設定した上で監視センタ１５０に悪戯・細工信号を送信する。
【００２４】
センサ１６３が開封による異常な使用行為を検知する方法の一例を示す。センサ１６３は、操作表示部１４０、警備装置１００、カードリーダ等の周辺機器に開閉センサとして設けられている。そして、センサ１６３は開状態を検知した場合に、異常な使用行為と判断する。異常な使用行為と判断したセンサ１６３は、上記同様、警備装置１００の制御部１１０にタンパ警報を送信する。
【００２５】
画像記録制御部１６１は、監視領域の画像データを取得し、取得した画像データをファイルに記録し、ファイル名を付して画像ファイルとして記憶部１７０に保存する。画像記録制御部１６１は、取得した画像データを所定の時間ごとにファイルに記録してもよいし、１日分の画像データを連続してファイルに記録してもよい。
【００２６】
画像記録制御部１６１は、また、警備装置１００からの記録情報の送信要求に応じて、記録情報として、指定時間に取得された画像データが記録された画像ファイルの保存先およびファイル名を、通信制御部１６４を介して警備装置１００に送信する。
【００２７】
ここで、記録情報とは、指定時間に取得された画像データ、または音声データが記録されたファイルの保存先およびファイル名を含む情報のことである。例えば、ファイルの保存先は、記録装置１６０の機器ＩＤであってもよいし、ＩＰアドレスであってもよいし、ＵＲＬであってもよい。
【００２８】
また、記録情報の送信要求には、指定時間が含まれる。記録情報の送信要求とは、当該要求に含まれる指定時間に取得された画像データ、または音声データが記録されたファイルの保存先およびファイル名を送信する旨の要求である。また、指定時間とは、警備装置１００が指定する時間であって、警備装置１００がセンサ１６３から検出信号を受信した時間（以下、受信時間という。）の所定時間前を基準とする一定時間のことである。例えば、受信時間の所定時間前から受信時間までの時間、または受信時間から所定時間後までの時間のうち、両方またはいずれか一方とすることができる。なお、指定時間の指定は、警備装置１００に限定されず、記録装置１６０が指定してもよい。
【００２９】
音声記録制御部１６２は、監視領域の音声データを取得し、取得した音声データをファイルに記録し、ファイル名を付して音声ファイルとして記憶部１７０に保存する。例えば、音声記録制御部１６２は、取得した画像データを所定の時間ごとにファイルに記録してもよいし、１日分の画像データを連続してファイルに記録してもよい。
【００３０】
音声記録制御部１６２は、また、警備装置１００からの記録情報の送信要求に応じて、記録情報として、指定時間に取得された音声データが記録された音声ファイルの保存先およびファイル名を、通信制御部１６４を介して警備装置１００に送信する。
【００３１】
記憶部１７０は、画像ファイルや音声ファイルを保存する。通信制御部１６４は、記録装置１６０と警備装置１００との通信を制御する。
【００３２】
次に、警備装置１００の詳細について説明する。警備装置１００は、監視領域に設置された１又は複数の記録装置１６０に接続されており、制御部１１０と、入出力制御部１２０と、操作表示部１４０と、通信制御部１３０を主に備えている。
【００３３】
制御部１１０は、第１受信部１１１と、記録情報取得部１１２と、信号生成部１１４と、第１送信部１１５を主に備える。
【００３４】
操作表示部１４０は、各種設定画面等を表示する液晶画面や操作ボタン等を備えており、初期設定画面や警備モード設定画面を液晶画面に表示して、利用者による警備装置１００の初期設定の入力や、警備装置１００に対する種々の警備モードの設定入力を受け付ける。ここで、警備モードとは、監視領域において、異常が検知された場合に監視センタ１５０などの通報先に異常を検知した旨の通報を行うか否か、または監視領域内に異常を検知した旨の通報を行うか否かなど、警備装置１００の動作を決定するモードである。
【００３５】
第１受信部１１１は、センサ１６３から各種検知信号および記録情報を受信する。
【００３６】
記録情報取得部１１２は、第１受信部１１１を介して記録情報を取得する。また、記録情報取得部１１２は、第１受信部１１１により検知信号だけが受信された場合は、通信制御部１３０を介して、画像記録制御部１６１および音声記録制御部１６２に記録情報の送信要求を送信する。具体的には、記録情報取得部１１２は、第１受信部１１１により受信した検知信号の受信時間を基準に指定時間を特定し、特定した指定時間を含む記録情報の送信要求を画像記録制御部１６１および音声記録制御部１６２に送信する。
【００３７】
記録情報取得部１１２は、また、画像記録制御部１６１または音声記録制御部１６２から記録情報を取得する。
【００３８】
信号生成部１１４は、第１受信部１１１により受信した検知信号に、記録情報取得部１１２により取得した記録情報に含まれる保存先およびファイル名を含ませて監視センタ１５０に送信する警備信号を生成する。
【００３９】
図２は、信号生成部１１４により生成された警備信号フォーマットの一例を示す図である。図２に示すように、警備信号は、ＩＰ（Internet Protocol）ヘッダと、ＴＣＰ（Transmission Control Protocol）ヘッダと、顧客番号と、センサ番号と、検知信号にかかる情報と、画像ファイル保存装置と、画像ファイル名と、音声ファイル保存装置と、音声ファイル名を含む。また、検知信号にかかる情報には、警報情報、操作情報、悪戯情報などがある。
【００４０】
第１送信部１１５は、信号生成部１１４により生成された警備信号を、通信制御部１３０を介して監視センタ１５０に送信する。
【００４１】
入出力制御部１２０は、操作表示部１４０の入出力制御と、センサ１６３の入力制御により種々のデータの入出力を制御する。通信制御部１３０は、警備装置１００とネットワーク１０との間における通信を制御する。
【００４２】
次に、以上のように構成された本実施の形態にかかる警備装置１００による警備方法で行われる警備信号の送信処理について説明する。図３は、警備信号の送信処理の手順を示すフローチャートである。
【００４３】
記録装置１６０は、センサ１６３により異常または操作を検知すると、検知信号と記録情報を警備装置１００に送信する（ステップＳ１）。ここで、記録情報とは、異常または操作が検知された時間に対応する画像ファイルおよび音声ファイルの保存先およびファイル名のことである。
【００４４】
警備装置１００は、受信した記録情報から画像ファイルおよび音声ファイルの保存先およびファイル名を取得し、取得したファイルの保存先およびファイル名と、受信した検知信号を含む警備信号を生成し、生成した警備信号を監視センタ１５０に送信する（ステップＳ２）。
【００４５】
監視センタ１５０は、警備信号を受信すると、警備信号から画像ファイルおよび音声ファイルの保存先およびファイル名を特定し、特定した保存先から画像ファイルおよび音声ファイルを取得する（ステップＳ３、ステップＳ４）。
【００４６】
このように、本実施の形態によれば、検知信号受信時の前後における監視領域の画像および音声の少なくとも一方のファイルの保存先についての情報を検知信号とともに監視センタ１５０に送信するので、通信負荷を軽減しつつ、警報時における監視領域の画像データや音声データの保存先に関する情報を効率よく取得することができる。
【００４７】
（実施の形態２）
実施の形態１では、センサ１６３が記録装置１６０に備えられていた。これに対し、本実施の形態では、センサ１６３は、記録装置１６０と別に警備装置に接続されている。
【００４８】
図４は、実施の形態２にかかる警備システムの構成を示すブロック図である。図４に示すように、警備システム２は、記録装置２６０とセンサ１６３に接続された警備装置２００が、監視センタ１５０と電話回線、無線ネットワーク、インターネットなどのネットワーク１０により接続されている。
【００４９】
次に、記録装置２６０について説明する。記録装置２６０は、カメラビデオ等の録画機器や、マイク等の録音機器が搭載された装置であり、ＬＡＮ等の通信媒体、例えば、専用線や、ＵＳＢ（Universal Serial Bus）等で警備装置２００に接続されている。図４では、１の記録装置２６０を図示しているが、記録装置２６０は、監視領域に１又は複数設置されている。
【００５０】
記録装置２６０は、画像記録制御部１６１と、音声記録制御部１６２と、通信制御部１６４と、記憶部１７０を主に備える。なお、各部の機能および構成は実施の形態１と同様である。
【００５１】
また、図４では、１つのセンサ１６３を図示しているが、センサ１６３は、監視領域に１又は複数設置されている。なお、センサ１６３の機能および構成についても実施の形態１と同様である。
【００５２】
次に、警備装置２００の詳細について説明する。警備装置２００は、監視領域に設置された１又は複数の記録装置２６０と、センサ１６３に接続されており、制御部１１０と、入出力制御部１２０と、操作表示部１４０と、通信制御部１３０を主に備えている。なお、警備装置２００の各部の機能および構成は、実施の形態１と同様である。
【００５３】
次に、以上のように構成された警備装置２００による警備信号の送信処理の手順について説明する。図５は、警備装置２００による警備信号の送信処理の手順を示すフローチャートである。
【００５４】
センサ１６３は、検知信号を出力すると、検知信号を警備装置２００に送信する（ステップＳ１０）。ステップＳ１１からステップＳ１５の処理については、実施の形態１の警備信号の送信処理におけるステップＳ２からステップＳ６と同様である。
【００５５】
このように、本実施の形態によれば、検知信号受信時の前後における監視領域の画像および音声の少なくとも一方のファイルの保存先についての情報を検知信号とともに監視センタ１５０に送信するので、通信負荷を軽減しつつ、警報時における監視領域の画像データや音声データの保存先に関する情報を効率よく取得することができる。
【００５６】
（実施の形態３）
実施の形態１では、警備装置は、センサから検知信号を受信した場合に、記録装置に記録情報の送信を要求した。これに対し、本実施の形態では、警備装置は、監視センタから遠隔点検コマンドを受信した場合に、記録装置に記録情報の送信を要求する。
【００５７】
図６は、実施の形態３にかかる警備システムの構成を示すブロック図である。図６に示すように、警備システム３は、記録装置３６０に接続された警備装置３００が、監視センタ１５０と電話回線、無線ネットワーク、インターネットなどのネットワーク１０により接続されている。
【００５８】
次に、記録装置３６０の詳細について説明する。記録装置３６０は、カメラビデオ等の録画機器や、マイク等の録音機器と、センサが搭載された装置であり、ＬＡＮで警備装置３００に接続されている。図６では、１の記録装置３６０を図示しているが、記録装置３６０は、監視領域に１又は複数設置されている。
【００５９】
記録装置３６０は、図６に示すように、画像記録制御部１６１と、音声記録制御部１６２と、通信制御部１６４と、センサ３６３と、記憶部１７０を主に備えている。なお、センサ３６３以外の各部の機能および構成については実施の形態１と同様である。
【００６０】
センサ３６３は、通信制御部１６４を介して、警備装置３００から遠隔点検コマンドを受信すると、記録装置３６０の故障を点検し、点検信号を出力する。なお、記録装置３６０に備えられているセンサ３６３は、警備装置３００とＬＡＮで接続されているので、監視センタ１５０から直接センサ３６３に遠隔点検コマンドが送信されてもよい。
【００６１】
ここで、遠隔点検コマンドとは、記録装置３６０が正常に動作していることを確認する旨のコマンドである。また、点検信号とは、点検結果を示す検知信号のことである。なお、遠隔点検コマンドは、記録装置３６０の動作確認だけに限定されず、監視領域への不審者の侵入等の確認する旨のコマンドであってもよい。
【００６２】
次に、警備装置３００の詳細について説明する。警備装置３００は、監視領域に設置された１又は複数の記録装置３６０に接続されており、制御部１１０と、入出力制御部１２０と、操作表示部１４０と、通信制御部１３０を主に備えている。
【００６３】
制御部１１０は、第１受信部１１１と、第２受信部３１１と、記録情報取得部１１２と、信号生成部１１４と、第１送信部１１５と、第２送信部３１５を主に備える。なお、第２受信部３１１と、第２送信部３１５以外の各部の機能および構成は実施の形態１と同様である。
【００６４】
第２受信部３１１は、監視センタ１５０から遠隔点検コマンドを受信する。
【００６５】
第２送信部３１５は、第２受信部３１１により監視センタ１５０から遠隔点検コマンドを受信した場合に、遠隔点検コマンドを記録装置３６０に送信する。
【００６６】
第１受信部１１１は、記録装置３６０から点検信号を受信する。ここで、点検信号とは、センサ３６３による機器の点検結果を示す信号であり、正常を示す点検信号と、異常を示す点検信号がある。
【００６７】
記録情報取得部１１２は、記録装置３６０から点検信号を受信すると、通信制御部１３０を介して、記録装置３６０に記録情報の送信要求を送信する。記録情報取得部１１２は、また、記録装置３６０から記録情報を取得する。
【００６８】
信号生成部１１４は、記録情報取得部１１２により取得された記録情報から、画像ファイルおよび音声ファイルの保存先およびファイル名を取得し、警備信号を生成する。図７は、信号生成部１１４により生成された警備信号フォーマットの一例を示す図である。図７に示すように、警備信号は、ＩＰヘッダと、ＴＣＰヘッダと、顧客番号と、センサ番号と、点検結果と、画像ファイル保存装置と、画像ファイル名と、音声ファイル保存装置と、音声ファイル名を含む。
【００６９】
次に、以上のように構成された警備装置３００による警備信号の送信処理の手順について説明する。図８は、警備装置３００による警備信号の送信処理の手順を示すフローチャートである。
【００７０】
監視センタ１５０は、遠隔点検コマンドを警備装置３００に送信する（ステップＳ３０）。警備装置３００は、監視センタ１５０から受信した遠隔点検コマンドを記録装置３６０に送信する（ステップＳ３１）。記録装置３６０は、記録装置３６０の故障の有無を確認し、確認結果および記録情報を警備装置３００に送信する（ステップＳ３２）。具体的には、記録装置３６０は、正常を示す点検信号、または異常を示す点検信号を、記録情報とともに警備装置３００に送信する。
【００７１】
警備装置３００は、受信した点検信号と、記録情報に含まれるファイルの保存先およびファイル名を含む警備信号を生成し、生成した警備信号を監視センタ１５０に送信する（ステップＳ３３）。
【００７２】
監視センタ１５０は、受信した警備信号に含まれるファイルの保存先装置から画像ファイルや、音声ファイルを取得する（ステップＳ３４、ステップＳ３５）。
【００７３】
このように、本実施の形態によれば、検知信号受信時の前後における監視領域の画像および音声の少なくとも一方のファイルの保存先についての情報を検知信号とともに監視センタ１５０に送信するので、通信負荷を軽減しつつ、警報時における監視領域の画像データや音声データの保存先に関する情報を効率よく取得することができる。
【００７４】
また、このように、本実施の形態によれば、監視センタ１５０側で、取得した画像ファイルから監視領域のレイアウトの変更を確認したり、取得した音声ファイルから音声が正常に取得できているか、またはノイズが混入していないか等を確認したりすることができる。
【００７５】
また、このように、本実施の形態によれば、監視センタ１５０は、遠隔点検コマンドによる点検結果を取得するだけでなく、正常・異常にかかわらず画像データや音声データを取得して記録し、後に取得した画像データや音声データを利用することもできる。
【００７６】
また、このように、本実施の形態によれば、遠隔点検コマンドが侵入等を確認する旨のコマンドであった場合、点検だけでなく、同時に画像や音声を取得できるので、１つのコマンドで関連する画像データや音声データを得ることができる。
【００７７】
（実施の形態４）
実施の形態３では、センサ３６３が記録装置３６０に備えられていた。これに対し、本実施の形態では、センサ３６３は、記録装置と別に警備装置に接続されている。
【００７８】
図９は、実施の形態４にかかる警備システムの構成を示すブロック図である。図９に示すように、警備システム４は、記録装置４６０に接続された警備装置４００が、監視センタ１５０と電話回線、無線ネットワーク、インターネットなどのネットワーク１０により接続されている。
【００７９】
次に、記録装置４６０の詳細について説明する。記録装置４６０は、カメラビデオ等の録画機器や、マイク等の録音機器が搭載された装置であり、ＬＡＮ等の通信媒体、例えば、専用線や、ＵＳＢ等で警備装置４００に接続されている。図９では、１の記録装置４６０を図示しているが、記録装置４６０は、監視領域に１又は複数設置されている。
【００８０】
記録装置４６０は、図９に示すように、画像記録制御部１６１と、音声記録制御部１６２と、通信制御部１６４と、記憶部１７０を主に備えている。なお、各部の機能および構成については実施の形態３と同様である。
【００８１】
また、図９では、１つのセンサ３６３を図示しているが、センサ３６３は、監視領域に１又は複数設置されている。センサ３６３はＬＡＮ等の線で接続されているので、監視センタ１５０から警備装置４００を介し遠隔点検コマンドを受信する。なお、センサ３６３の機能および構成についても実施の形態３と同様である。
【００８２】
次に、警備装置４００の詳細について説明する。警備装置４００は、監視領域に設置された１又は複数の記録装置４６０と、センサ３６３に接続されており、制御部１１０と、入出力制御部１２０と、操作表示部１４０と、通信制御部１３０を主に備えている。なお、警備装置４００の各部の機能および構成は、実施の形態３と同様である。
【００８３】
次に、以上のように構成された警備装置４００による警備信号の送信処理の手順について説明する。図１０は、警備装置４００による警備信号の送信処理の手順を示すフローチャートである。
【００８４】
監視センタ１５０は、遠隔点検コマンドを警備装置４００に送信する（ステップＳ４０）。警備装置４００は、監視センタ１５０から受信した遠隔点検コマンドをセンサ３６３に送信する（ステップＳ４１）。センサ３６３は、記録装置４６０の故障の有無を確認し、確認結果を警備装置４００に送信する（ステップＳ４２）。具体的には、センサ３６３は、正常を示す点検信号、または異常を示す点検信号を警備装置４００に送信する。
【００８５】
ステップＳ４３からステップＳ４７までの処理については、実施の形態３の警備信号送信処理のステップＳ３３からステップＳ３７までの処理と同様である。
【００８６】
このように、本実施の形態によれば、検知信号受信時の前後における監視領域の画像および音声の少なくとも一方のファイルの保存先についての情報を検知信号とともに監視センタ１５０に送信するので、通信負荷を軽減しつつ、警報時における監視領域の画像データや音声データの保存先に関する情報を効率よく取得することができる。
【符号の説明】
【００８７】
１０  ネットワーク
１００、２００、３００、４００  警備装置
１１１  第１受信部
１１２  記録情報取得部
１１４  信号生成部
１１５  第１送信部
１２０  入出力制御部
１３０、１６４  通信制御部
１４０  操作表示部
１５０  監視センタ
１６０、２６０、３６０、４６０  記録装置
１６１  画像記録制御部
１６２  音声記録制御部
１６３、３６３  センサ
１７０  記憶部
３１１  第２受信部
３１５  第２送信部
【図１】
0005550361.tif 000002
【図２】
0005550361.tif 000003
【図３】
0005550361.tif 000004
【図４】
0005550361.tif 000005
【図５】
0005550361.tif 000006
【図６】
0005550361.tif 000007
【図７】
0005550361.tif 000008
【図８】
0005550361.tif 000009
【図９】
0005550361.tif 000010
【図１０】
0005550361.tif 000011